(57)【要約】【課題】  三元触媒の温度を低下させることなく、三元触媒におけるＨ２Ｓの発生を抑制する。【解決手段】  三元触媒２３を排気通路２４内に具備する。三元触媒から流出する排気ガスを三元触媒上流の排気通路へ導入する排気導入手段３１，３２，３３，３４を具備し、三元触媒の内部雰囲気がＨ２Ｓが発生する状態になったとき或いはＨ２Ｓが発生する状態になると予想されたときに、排気導入手段によって三元触媒から流出する排気ガスを三元触媒上流の排気通路２２へ導入する。【選択図】      図１
2006194093.tif 000002
【特許請求の範囲】
【請求項１】
三元触媒を排気通路内に具備する内燃機関の排気浄化装置において、三元触媒から流出する排気ガスを三元触媒上流の排気通路へ導入する排気導入手段を具備し、三元触媒の内部雰囲気がＨ２Ｓが発生する状態になったとき或いはＨ２Ｓが発生する状態になると予想されたときに、上記排気導入手段によって三元触媒から流出する排気ガスを三元触媒上流の排気通路へ導入することを特徴とする排気浄化装置。
【請求項２】
流入する排気ガスの空燃比が理論空燃比よりもリーンであるときに排気ガス中の酸素を保持し且つ流入する排気ガスの空燃比が理論空燃比または理論空燃比よりもリッチとなると保持している酸素を放出する酸素保持・放出手段を上記三元触媒上流の排気通路内に具備することを特徴とする請求項１に記載の排気浄化装置。
【請求項３】
上記三元触媒上流の排気通路内に追加の三元触媒をさらに具備し、上記排気導入手段が該追加の三元触媒上流の排気通路へ排気ガスを導入することを特徴とする請求項１に記載の排気浄化装置。
【請求項４】
上記三元触媒上流の排気通路内に追加の三元触媒をさらに具備し、上記排気導入手段がこれら三元触媒間の排気通路へ排気ガスを導入すると共に上記追加の三元触媒上流の排気通路へも排気ガスを導入することを特徴とする請求項１に記載の排気浄化装置。
【請求項５】
流入する排気ガスの空燃比が理論空燃比よりもリーンであるときに排気ガス中の酸素を吸蔵し且つ流入する排気ガスの空燃比が理論空燃比または理論空燃比よりもリッチとなると吸蔵している酸素を放出する酸素保持・放出手段を上記追加の三元触媒上流の排気通路内または上記三元触媒間の排気通路内に具備することを特徴とする請求項３または４に記載の排気浄化装置。
【発明の詳細な説明】
【技術分野】
【０００１】
本発明は、内燃機関の排気浄化装置に関する。
【背景技術】
【０００２】
内燃機関の燃焼室から排出される排気ガス中の一酸化炭素（ＣＯ）、窒素酸化物（ＮＯｘ）、および、炭化水素（ＨＣ）を浄化するための三元触媒が知られている。この三元触媒は、そこに流入する排気ガスの空燃比が理論空燃比であるときに、ＣＯ、ＮＯｘ、および、ＨＣを高い浄化率で同時に浄化することができる。そして、このような三元触媒において、そこに流入する排気ガスの空燃比が理論空燃比よりもリッチになると、排気ガス中の硫黄成分が排気ガス中の還元成分（例えば、ＨＣや水素（Ｈ２））によって還元されて硫化水素（Ｈ２Ｓ）が発生することも知られている（なお、水素は、例えば、ＣＯ＋Ｈ２Ｏ→ＣＯ２＋Ｈ２で表されるいわゆる水性ガス反応や、ＣＨ４＋Ｈ２Ｏ→ＣＯ＋３Ｈ２で表されるいわゆる水蒸気改質反応によって生成される）。
【０００３】
このようにＨ２Ｓが三元触媒において発生することは、特許文献１にも記載されている。そして、Ｈ２Ｓは悪臭成分であることから、三元触媒においてＨ２Ｓを発生させないようにすることが好ましい。そこで、特許文献１では、三元触媒に流入する排気ガスの空燃比が理論空燃比よりもリッチとなって、Ｈ２Ｓが発生する可能性があるときに、三元触媒に空気を供給することによって、三元触媒の内部雰囲気を理論空燃比よりもリーンなものとし、Ｈ２Ｓの発生を抑制するようにしている。
【０００４】
【特許文献１】実開平２−０６７０２２号公報
【特許文献２】実開昭６３−１７１６１０号公報
【特許文献３】実開昭６３−０４２８２１号公報
【特許文献４】実開昭６３−０４５４４９号公報
【特許文献５】特開平１−２２７８１４号公報
【特許文献６】特公平７−７８３６５号公報
【発明の開示】
【発明が解決しようとする課題】
【０００５】
ところが、特許文献１に記載の発明によると、三元触媒に供給された空気によって該三元触媒の温度が低下し、これにより、三元触媒の浄化能力も低下してしまう。
そこで、本発明の目的は、三元触媒の温度を低下させることなく、三元触媒におけるＨ２Ｓの発生を抑制することにある。
【課題を解決するための手段】
【０００６】
上記課題を解決するために、１番目の発明では、三元触媒を排気通路内に具備する内燃機関の排気浄化装置において、三元触媒から流出する排気ガスを三元触媒上流の排気通路へ導入する排気導入手段を具備し、三元触媒の内部雰囲気がＨ２Ｓが発生する状態になったとき或いはＨ２Ｓが発生する状態になると予想されたときに、上記排気導入手段によって三元触媒から流出する排気ガスを三元触媒上流の排気通路へ導入する。
【０００７】
２番目の発明では、１番目の発明において、流入する排気ガスの空燃比が理論空燃比よりもリーンであるときに排気ガス中の酸素を保持し且つ流入する排気ガスの空燃比が理論空燃比または理論空燃比よりもリッチとなると保持している酸素を放出する酸素保持・放出手段を上記三元触媒上流の排気通路内に具備する。
３番目の発明では、１番目の発明において、上記三元触媒上流の排気通路内に追加の三元触媒をさらに具備し、上記排気導入手段が該追加の三元触媒上流の排気通路へ排気ガスを導入する。
【０００８】
４番目の発明では、１番目の発明において、上記三元触媒上流の排気通路内に追加の三元触媒をさらに具備し、上記排気導入手段がこれら三元触媒間の排気通路へ排気ガスを導入すると共に上記追加の三元触媒上流の排気通路へも排気ガスを導入する。
５番目の発明では、３または４番目の発明において、流入する排気ガスの空燃比が理論空燃比よりもリーンであるときに排気ガス中の酸素を吸蔵し且つ流入する排気ガスの空燃比が理論空燃比または理論空燃比よりもリッチとなると吸蔵している酸素を放出する酸素保持・放出手段を上記追加の三元触媒上流の排気通路内または上記三元触媒間の排気通路内に具備する。
【発明の効果】
【０００９】
本発明によれば、三元触媒の内部雰囲気がＨ２Ｓが発生する状態になったとき或いはＨ２Ｓが発生する状態になると予想されたときに、排気導入手段によって三元触媒から流出する排気ガスが三元触媒上流の排気通路へ導入される。これによれば、三元触媒には、そこから流出した排気ガスが供給されることになる。ここで、排気ガス中のＣＯやＨＣ等の還元成分は三元触媒において浄化されていることから、三元触媒から流出する排気ガス中には、還元成分が含まれていないか或いはほとんど含まれていない。また、三元触媒から流出する排気ガス中には、少なからず、酸素が含まれている。したがって、三元触媒から流出する排気ガスを該三元触媒に導入することによって、三元触媒の内部雰囲気が酸化雰囲気となり、これにより、三元触媒でのＨ２Ｓの発生が抑制される。そして、排気ガスの温度は比較的高いことから、三元触媒から流出した排気ガスを該三元触媒に導入することによる三元触媒の温度が低下することはなく、或いは、低下したとしてもその低下の程度は許容できる程度に小さい。
【００１０】
さらに、三元触媒から流出した排気ガス中にＣＯやＮＯｘやＨＣが含まれている場合には、三元触媒から流出して該三元触媒に導入された排気ガス中の少なくともＣＯやＨＣは、三元触媒において浄化されることになる。
【発明を実施するための最良の形態】
【００１１】
以下、図面を参照して本発明の実施の形態を説明する。図１は、本発明の第１実施形態の排気浄化装置を備えた内燃機関の全体図である。図１において、１は内燃機関の本体、２はシリンダブロック、３はピストン、４はシリンダヘッド、５は燃焼室、６は吸気弁、７は吸気ポート、８は排気弁、９は排気ポート、１０は点火栓、１１は燃料噴射弁をそれぞれ示している。吸気ポート７は、吸気管１３を介してサージタンク１４に接続されている。また、サージタンク１４は吸気管１５を介してエアフローメータ１６に接続されている。また、吸気管１５内には、ステップモータ１７によって駆動せしめられるスロットル弁１８が配置されている。
【００１２】
一方、排気ポート９は、排気マニホルド１９を介して三元触媒（以下「上流側三元触媒」という）２０を内蔵したケーシング２１に接続されている。また、ケーシング２１は、排気管２２を介して三元触媒（以下「下流側三元触媒」という）２３を内蔵したケーシング２４に接続されている。また、排気管１９からサージタンク１４まで排気循環通路２６が延びている。排気循環通路２６には、サージタンク１４へ導入され、最終的には、燃焼室５内に導入される排気ガスの流量を制御するための排気循環制御弁２７が配置されている。
【００１３】
また、上流側三元触媒２０上流の排気マニホルド１９には、排気ガスの空燃比を検出する空燃比センサ２８が取り付けられている。また、上流側三元触媒２０の下流であって下流側三元触媒２３の上流の排気管２２にも、排気ガスの空燃比を検出する空燃比センサ２９が取り付けられている。さらに、下流側三元触媒２３の下流の排気管２５にも、排気ガスの空燃比を検出する空燃比センサ３０が配置されている。
【００１４】
また、下流側三元触媒２３の下流の排気管２５から上流側三元触媒２０と下流側三元触媒２３との間の排気管２２まで、排気導入通路３１が延びている。排気導入通路３１には、ポンプ３２が配置されている。また、ポンプ３２の下流側の排気導入通路３１には、そこを通る排気ガスの流量を制御するための制御弁３３が配置されており、ポンプ３２の上流側の排気導入通路３２にも、そこを流れる排気ガスの流量を制御するための制御弁３４が配置されている。
【００１５】
ポンプ３２を作動すると共に両制御弁３３，３４を開弁すると、下流側三元触媒２３から流出した排気ガスの少なくとも一部が排気導入通路３１を介して排気管２２内に導入され、結果的に、下流側三元触媒２３に導入される。以下の説明では、排気導入通路３１を介して下流側三元触媒２３に導入される排気ガスを「循環ガス」ともいう。
【００１６】
次に、上流側三元触媒２０および下流側三元触媒２３の作用について説明する。これら三元触媒２０，２３は、その温度が或る温度（いわゆる、活性温度）以上であって、且つ、図２に示したように、そこに流入する排気ガスの空燃比が理論空燃比近傍の領域Ｘ内にあるときに、排気ガス中の窒素酸化物（ＮＯｘ）、一酸化炭素（ＣＯ）、および、炭化水素（ＨＣ）を同時に高い浄化率にて浄化する。一方、これら三元触媒２０，２３は、そこに流入する排気ガスの空燃比が理論空燃比よりもリーンであるときには、排気ガス中の酸素を吸収或いは吸蔵することによって保持し、そこに流入する排気ガスの空燃比が理論空燃比よりもリッチであるときには、吸収した酸素を放出する酸素保持・放出能力を有する。この酸素保持・放出能力が正常に機能する限り流入する排気ガスの空燃比が理論空燃比よりもリーンであってもリッチであっても、これら三元触媒２０，２３内の雰囲気の空燃比がほぼ理論空燃比近傍に維持されるので、排気ガス中のＮＯｘ、ＣＯ、ＨＣが同時に高い浄化率で浄化される。
【００１７】
次に、空燃比センサ２８，２９，３０について説明する。これら空燃比センサ２８，２９，３０は、図３に示したように、排気ガスの空燃比が理論空燃比よりもリーンであるときには、略０Ｖの電圧を出力し、理論空燃比よりもリッチであるときには、略１Ｖの電圧を出力する。そして、出力電圧は、排気ガスの空燃比が理論空燃比近傍にある領域において急激に変化して、理論空燃比に相当する基準電圧ＶＲ（≒０．５）を横切る。すなわち、これら空燃比センサ２８，２９，３０は、排気ガスの空燃比が理論空燃比に対してリーンであるかリッチであるかに応じて異なる一定の電圧を出力する。
【００１８】
次に、本実施形態に従った下流側三元触媒２３における硫化水素（Ｈ２Ｓ）の発生を抑制する制御について説明する。上述したように、三元触媒の内部雰囲気が還元雰囲気になると、排気ガス中の硫黄成分が還元されてＨ２Ｓが発生してしまう。そこで、本実施形態では、下流側三元触媒２３の内部雰囲気が還元雰囲気になって下流側三元触媒２３の内部がＨ２Ｓを発生させてしまう状態になったとき、或いは、Ｈ２Ｓを発生させてしまう状態になると予想されたとき、ポンプ３２を作動すると共に両制御弁３３，３４を開弁させることによって、下流側三元触媒２３から流出した排気ガスの少なくとも一部を排気導入通路３１を介して排気管２２に導入し、結果として、下流側三元触媒２３に導入する。
【００１９】
ここで、下流側三元触媒２３から流出する排気ガス中のＣＯやＨＣ等の還元成分は、少なくとも、下流側三元触媒２３において浄化されているので、循環ガス中には、還元成分は含まれていないか或いはほとんど含まれていない。このため、上述したように、循環ガスを下流側三元触媒２３に導入することにより、下流側三元触媒２３の内部雰囲気が酸化雰囲気となり、或いは、少なくとも、還元雰囲気の度合が低下する。このため、下流側三元触媒２３でのＨ２Ｓの発生が抑制されることになる。
【００２０】
また、本実施形態によれば、下流側三元触媒２３から流出する排気ガスの少なくとも一部が下流側三元触媒２３をもう一度通されることになるので、排気ガス中の各成分に対する本実施形態の排気浄化装置の浄化率が向上することになる。また、下流側三元触媒２３においてＨ２Ｓが発生してしまったとしても、下流側三元触媒２３から流出する排気ガスの一部は下流側三元触媒２３に導入され、ここで、下流側三元触媒２３の内部雰囲気は酸化雰囲気になっているので、下流側三元触媒２３において発生してしまったＨ２Ｓの一部は下流側三元触媒２３に再び戻されることで酸化されて、悪臭とはならない硫黄酸化物（ＳＯｘ）になる。
【００２１】
また、下流側三元触媒２３におけるＨ２Ｓの発生を抑制するために下流側三元触媒２３に導入されるガスが下流側三元触媒２３において浄化された排気ガスであることから、仮に、排気導入通路から排気ガスが漏れたとしても問題はない。
【００２２】
なお、下流側三元触媒２３の内部雰囲気が還元雰囲気となって下流側三元触媒２３の内部がＨ２Ｓを発生させてしまう状態となったと判定されるのは、例えば、燃料噴射弁１１から噴射される燃料の量（以下「燃料噴射量」という）が増量せしめられて燃焼室５にて理論空燃比よりもリッチな空燃比で燃焼が行われて所定時間（この所定時間は、燃焼室５から排出された排気ガスが下流側三元触媒２３に到達するのにかかる時間に相当する）が経過したときや、下流側三元触媒２３下流に配置されている空燃比センサ３０によって、理論空燃比よりもリッチな空燃比が検出されたときや、下流側三元触媒２３上流に配置されている空燃比センサ２８，２９によって、理論空燃比よりもリッチな空燃比が検出されてから所定時間（この所定時間は、排気ガスが各空燃比センサ２８，２９を通過してから下流側三元触媒２３に到達するのにかかる時間に相当する）が経過したときである。
【００２３】
また、下流側三元触媒２３の内部雰囲気が還元雰囲気となって下流側三元触媒２３の内部がＨ２Ｓを発生させてしまう状態になると予想されるのは、例えば、燃料噴射量が増量せしめられて燃焼室５にて理論空燃比よりもリッチな空燃比で燃焼が行われたときや、下流側三元触媒２３上流に配置されている空燃比センサ２８，２９によって、理論空燃比よりもリッチな空燃比が検出されたときである。
【００２４】
また、燃料噴射量が増量せしめられて燃焼室５にて理論空燃比よりもリッチな空燃比で燃焼が行われたために、下流側三元触媒２３の内部雰囲気が還元雰囲気になるときには、当然のことながら、上流側三元触媒２０の内部雰囲気も還元雰囲気になる。したがって、このとき、上流側三元触媒２０においても硫化水素（Ｈ２Ｓ）が発生することになる。しかしながら、このとき、上流側三元触媒２０で発生したＨ２Ｓは、内部雰囲気が酸化雰囲気となっている下流側三元触媒２３に流入し、ここで、酸化されて硫黄酸化物（ＳＯｘ）となる。
【００２５】
また、第１実施形態のように、上流側三元触媒２０が配置されている場合、燃料噴射量が増量せしめられて燃焼室５にて理論空燃比よりもリッチな空燃比で燃焼が行われたとき、排気ガス中のＨＣは上流側三元触媒２０において浄化されることになる。したがって、第１実施形態のように、上流側三元触媒２０が配置されている場合において、燃料噴射量が増量せしめられて燃焼室５にて理論空燃比よりもリッチな空燃比で燃焼が行われたために下流側三元触媒２３の内部雰囲気が還元雰囲気になる場合とは、排気ガス中のＨＣの一部しか上流側三元触媒２０において浄化されない場合を意味する。
【００２６】
また、循環ガスを下流側三元触媒２３に導入するときの各制御弁３３，３４の開度は、下流側三元触媒２３の内部雰囲気を所望の雰囲気にするために下流側三元触媒２３に導入する必要のある循環ガスの量に応じて設定すればよい。
【００２７】
もちろん、本実施形態では、循環ガスを下流側三元触媒２３に導入しなくても、下流側三元触媒２３の内部雰囲気が還元雰囲気にはならないと判断されたときには、ポンプ２３の作動を停止すると共に両制御弁３３，３４を閉弁する。このように、循環ガスを下流側三元触媒２３に導入しなくても、下流側三元触媒２３の内部雰囲気が還元雰囲気にならないと判断されるのは、例えば、燃料噴射量が通常の量とされて燃焼室５にて理論空燃比或いは理論空燃比よりもリーンな空燃比で燃焼が行われてから所定時間（この所定時間は、燃焼室５から排出された排気ガスが下流側三元触媒２３に到達するのにかかる時間に相当する）が経過したときや、排気管２２への排気導入通路３１の導入口３１Ａよりも上流に配置されている空燃比センサ２８，２９によって、理論空燃比よりもリーンな空燃比が検出されてから所定時間（この所定時間は、排気ガスが各空燃比センサ２８，２９を通過してから下流側三元触媒２３に到達するのにかかる時間に相当する）が経過したときである。
【００２８】
また、通常（例えば、排気ガスの空燃比が理論空燃比となるように、燃料噴射量が制御されているとき）、燃焼室５から排出される排気ガスの空燃比は、極めて短い周期で理論空燃比よりもリッチとなったりリーンとなったりする。このとき、極めて短い周期で、下流側三元触媒２３の内部雰囲気が還元雰囲気になることが考えられるが、この場合、下流側三元触媒２３の内部雰囲気が還元雰囲気になっている時間が極めて短く、その直後に、下流側三元触媒２３の内部雰囲気は酸化雰囲気になる。したがって、燃焼室５から排出される排気ガスの空燃比が極めて短い周期で理論空燃比よりもリッチとなったりリーンとなったりしているときには、下流側三元触媒２３においてＨ２Ｓが発生する可能性は極めて低い。
【００２９】
そこで、上述した実施形態では、燃焼室５から排出される排気ガスの空燃比が極めて短い周期で理論空燃比よりもリッチとなったりリーンとなったりしているときには、下流側三元触媒２３の内部がＨ２Ｓを発生させる状態になったと判定せず、或いは、Ｈ２Ｓを発生させる状態になると判定しない。したがって、上述した実施形態において、循環ガスを下流側三元触媒２３に導入するのは、下流側三元触媒２３の内部が或る時間に亘ってＨ２Ｓを発生させる状態になっているとき、或いは、或る時間に亘ってＨ２Ｓを発生させる状態になると予想されたときである。
【００３０】
図４は、第１実施形態に従って循環ガスを下流側三元触媒２３に導入する制御を行った場合の一例をタイムチャートで示したものである。図４において、（Ａ）は燃焼室５内の空燃比を示し、（Ｂ）は下流側三元触媒２３内部の空燃比を示し、（Ｃ）はポンプ３２の作動状態を示し、（Ｄ）は制御弁３３の開閉弁状態を示し、（Ｅ）は制御弁３４の開閉弁状態を示している。
【００３１】
図４に示した例では、時刻Ｔ０以前は、（Ａ）に示されているように、燃焼室５内の空燃比は理論空燃比に維持されており、したがって、（Ｂ）に示されているように、下流側三元触媒２３内部の空燃比も理論空燃比に維持されている。このため、時刻Ｔ０以前は、下流側三元触媒２３に循環ガスを導入する必要はないので、（Ｃ）に示されているように、ポンプ３２の作動は停止（ＯＦＦ）されており、（Ｄ）および（Ｅ）に示されているように、各制御弁３３，３４は閉弁されている。
【００３２】
一方、時刻Ｔ０になると、燃焼室５内の空燃比は理論空燃比よりもリッチにされる。このとき、図４に示した例では、ポンプ３２を作動（ＯＮ）すると共に、各制御弁３３，３４を開弁する。これにより、下流側三元触媒２３内部の空燃比が理論空燃比よりもリーンとなり、斯くして、下流側三元触媒２３においてＨ２Ｓが発生することが抑制される。
【００３３】
そして、図４に示した例では、時刻Ｔ１になると、燃焼室５内の空燃比は理論空燃比に戻される。そして、時刻Ｔ１から一定時間が経過した時刻Ｔ２、すなわち、燃焼室５内の空燃比が理論空燃比に戻された後に排出された排気ガスが下流側三元触媒２３に到達すると予想される時刻Ｔ２において、ポンプ３２の作動を停止し、各制御弁３３，３４を全閉とする。
【００３４】
図５は、第１実施形態に従って循環ガスを下流側三元触媒２３に導入するか否かを制御するルーチンの一例を示している。図５のルーチンでは、まず、ステップ１０において、燃料噴射量が通常の量（ここでの通常の量は、燃焼室５において理論空燃比で燃焼が行われる量に相当する）よりも増量せしめられた履歴があるか否か、すなわち、燃焼室５において理論空燃比よりもリッチな空燃比で燃焼が行われた履歴があるか否かが判別される。ここで、燃料噴射量が通常の量よりも増量せしめられた履歴があると判別されたときには、ステップ１１において、フューエルカット（Ｆ／Ｃ）（すなわち、燃料噴射弁１１からの燃料噴射を停止することであって、これは、例えば、減速時に燃焼室での失火を抑制するために行われるものである）が禁止されているか否かが判別される。
【００３５】
ここで、Ｆ／Ｃが禁止されていると判別されたときには、ステップ１２において、下流側三元触媒２３下流に配置されている空燃比センサ３０の出力電圧ＶＤが基準電圧ＶＲよりも大きい（ＶＤ＞ＶＲ）か否か、すなわち、下流側三元触媒２３から流出する排気ガスの空燃比が理論空燃比よりもリッチであるか否かが判別される。ここで、ＶＤ＞ＶＲであると判別されたときには、ステップ１３において、ポンプ３２が作動され、ステップ１４において、両制御弁３３，３４が開弁せしめられる。
【００３６】
そして、ステップ１５において、ＶＤ≦ＶＲであるか否か、すなわち、下流側三元触媒２３から流出する排気ガスの空燃比が理論空燃比よりもリーンであるか否かが判別される。ここで、ＶＤ≦ＶＲであると判別されたときには、ステップ１６において、ポンプ３２の作動が停止され、ステップ１７において、両制御弁３３，３４が全閉とされる。しかしながら、ステップ１５において、ＶＤ＞ＶＲであると判別されたとき、すなわち、下流側三元触媒２３から流出する排気ガスの空燃比が未だに理論空燃比よりもリッチであると判別されたときには、ステップ１３に戻って、ポンプ３２が作動され（実際には、ポンプ３２の作動状態が維持され）、次いで、ステップ１４において、両制御弁３３，３４が開弁せしめられる（実際には、両制御弁３３，３４の開弁状態が維持される）。すなわち、ステップ１５において、ＶＤ≦ＶＲであると判別されるまで、ステップ１３からステップ１５が繰り返し実行される。
【００３７】
なお、ステップ１０において、燃料噴射量が通常の量よりも増量された履歴がないと判別されたとき、或いは、ステップ１１において、Ｆ／Ｃが禁止されていないと判別されたとき、或いは、ステップ１２において、ＶＤ≦ＶＲであると判別されたときには、そのまま、ルーチンが終了せしめられる。この場合には、ポンプ３２は作動されず、両制御弁３３，３４は全閉のままである。
【００３８】
次に、本発明の第２の実施形態の排気浄化装置について説明する。図６に、第２実施形態の排気浄化装置を備えた内燃機関が示されている。本実施形態では、第１実施形態の排気浄化装置の構成に加えて、制御弁３４から上流側三元触媒２０上流の排気マニホルド１９まで第２の排気導入通路３５が延びている。そして、この第２の排気導入通路３５には、そこを通る排気ガスの流量を制御するための制御弁３６が配置されている。
【００３９】
本実施形態に従った下流側三元触媒２３における硫化水素（Ｈ２Ｓ）の発生を抑制する制御は、以下の通りである。すなわち、下流側三元触媒２３の内部雰囲気が還元雰囲気になって下流側三元触媒２３の内部がＨ２Ｓを発生させてしまう状態になったとき、或いは、Ｈ２Ｓを発生させてしまう状態になると予想されたとき、ポンプ３２を作動すると共に全制御弁３３，３４，３６を開弁させ、下流側三元触媒２３から流出した排気ガスの少なくとも一部を排気導入通路３１を介して排気管２２に導入すると共に、下流側三元触媒２３から流出した排気ガスの少なくとも一部を排気導入通路３１および第２の排気導入通路３５を介して上流側三元触媒２０上流の排気マニホルド１９に導入する。
【００４０】
これによれば、下流側三元触媒２３の内部雰囲気が酸化雰囲気となり、或いは、還元雰囲気の度合が低下するため、下流側三元触媒２３でのＨ２Ｓの発生が抑制される。また、本実施形態によれば、上流側三元触媒２０の内部雰囲気も酸化雰囲気となり、或いは、還元雰囲気の度合が小さくなるため、上流側三元触媒２０でのＨ２Ｓの発生も抑制される。また、本実施形態によれば、下流側三元触媒２３から流出する排気ガスの少なくとも一部が下流側三元触媒２３をもう一度通され、また、別の一部が上流側三元触媒２０および下流側三元触媒２３をもう一度通されることになるので、排気ガス中の各成分に対する本実施形態の排気浄化装置の浄化率が向上することになる。
【００４１】
なお、循環ガスを下流側三元触媒２３および上流側三元触媒２０に導入するときの各制御弁３３，３４，３６の開度は、下流側三元触媒２３および上流側三元触媒２０の内部雰囲気を所望の雰囲気にするために排気導入通路３１および第２の排気導入通路３５を介して下流側三元触媒２３および上流側三元触媒２０に導入する必要のある循環ガスの量に応じて設定すればよい。
【００４２】
また、上述した実施形態は、下流側三元触媒２３から流出した排気ガスを下流側三元触媒２３および上流側三元触媒２０の両方に循環させることを前提としたものであるが、状況に応じて、下流側三元触媒２３から流出した排気ガスを下流側三元触媒２３にのみ導入したり、上流側三元触媒２０にのみ導入したりしてもよい。もちろん、下流側三元触媒２３から流出した排気ガスを上流側三元触媒２０にのみ導入した場合であっても、結果的には、上流側三元触媒２０に導入された循環ガスは、下流側三元触媒２３にも導入されることになる。
【００４３】
図７は、第２実施形態に従って循環ガスを上流側三元触媒２０および下流側三元触媒２３に導入するか否かを制御するルーチンの一例を示している。図７のルーチンでは、まず、ステップ２０において、燃料噴射量が通常の量（ここでの通常の量も、燃焼室５において理論空燃比で燃焼が行われる量に相当する）よりも増量せしめられた履歴があるか否かが判別される。ここで、燃料噴射量が通常の量よりも増量せしめられた履歴があると判別されたときには、ステップ２１において、フューエルカット（Ｆ／Ｃ）が禁止されているか否かが判別される。
【００４４】
ここで、Ｆ／Ｃが禁止されていると判別されたときには、ステップ２２において、下流側三元触媒２３下流に配置されている空燃比センサ３０の出力電圧ＶＤが基準電圧ＶＲよりも大きい（ＶＤ＞ＶＲ）か否かが判別される。ここで、ＶＤ＞ＶＲであると判別されたときには、ステップ２３において、ポンプ３２が作動され、ステップ２４において、全制御弁３３，３４，３６が開弁せしめられる。
【００４５】
そして、ステップ２５において、ＶＤ≦ＶＲであるか否かが判別される。ここで、ＶＤ≦ＶＲであると判別されたときには、ステップ２６において、ポンプ３２の作動が停止され、ステップ２７において、全制御弁３３，３４，３６が全閉とされる。しかしながら、ステップ２５において、ＶＤ＞ＶＲであると判別されたときには、ステップ２３に戻って、ポンプ３２が作動され（実際には、ポンプ３２の作動状態が維持され）、次いで、ステップ２４において、全制御弁３３，３４，３６が開弁せしめられる（実際には、全制御弁３３，３４，３６の開弁状態が維持される）。すなわち、ステップ２５において、ＶＤ≦ＶＲであると判別されるまで、ステップ２３からステップ２５が繰り返し実行される。
【００４６】
なお、ステップ２０において、燃料噴射量が通常の量よりも増量された履歴がないと判別されたとき、或いは、ステップ２１において、Ｆ／Ｃが禁止されていないと判別されたとき、或いは、ステップ２２において、ＶＤ≦ＶＲであると判別されたときには、そのまま、ルーチンが終了せしめられる。この場合には、ポンプ３２は作動されず、全制御弁３３，３４，３６は全閉のままである。
【００４７】
次に、本発明の第３の実施形態の排気浄化装置について説明する。図８に、第３実施形態の排気浄化装置を備えた内燃機関が示されている。本実施形態では、第１実施形態の排気浄化装置の構成に加えて、上流側三元触媒２０と下流側三元触媒２３との間の排気管２２内に、酸素保持・放出材３７が配置されている。この酸素保持・放出材３７は、そこに流入する排気ガスの空燃比が理論空燃比よりもリーンであるときに、排気ガス中の酸素を吸収或いは吸蔵することによって保持し、そこに流入する排気ガスの空燃比が理論空燃比または理論空燃比よりもリッチになると、保持している酸素を放出する酸素保持・放出能を有している。
【００４８】
酸素保持・放出材３７は、例えば、セリア（Ｃｅ）を主成分とした触媒からなる。こうしたセリアを主成分とした触媒としては、例えば、セリア（Ｃｅ）からなる基材に、保持している酸素を放出する（或いは、脱離させる）のに必要な貴金属（例えば、白金（Ｐｔ））を基材にコーティングしたものが挙げられる。また、こうしたセリアを主成分とした触媒に、硝酸バリウム（Ｂａ（ＮＯ３）２）を添加し、酸素保持・放出材３７の酸素保持・放出能を向上させてもよい。また、セリアを主成分とした触媒に、ジルコニウム（Ｚｒ）および希土類（例えば、プラセオジム（Ｐｒ）やランタン（Ｌａ））の少なくとも一方を添加し、酸素保持・放出材３７の酸素保持・放出能を向上させてもよい。
【００４９】
或いは、酸素保持・放出材３７として、チタン（Ｔｉ）またはバナジウム（Ｖ）を主成分としたものを挙げることもできる。
【００５０】
第３実施形態の排気浄化装置によれば、下流側三元触媒２３における硫化水素（Ｈ２Ｓ）の発生を抑制する制御を第１実施形態のものと同様に行ったとき、酸素保持・放出材３７からは酸素が放出され、この酸素が下流側三元触媒２３に流入する。このため、下流側三元触媒２３の内部雰囲気がより確実に酸化雰囲気となり、或いは、還元雰囲気の度合がより大きく低下するため、下流側三元触媒２３でのＨ２Ｓの発生がより良く抑制される。
【００５１】
なお、第２実施形態の排気浄化装置において、上流側三元触媒２０と下流側三元触媒２３との間の排気管２２内に、上述した酸素保持・放出材３７を配置してもよい。
【図面の簡単な説明】
【００５２】
【図１】第１実施形態の排気浄化装置を備えた内燃機関の全体図である。
【図２】空燃比に対する三元触媒の浄化率を示した図である。
【図３】空燃比に対する空燃比センサの出力特性を示した図である。
【図４】第１実施形態に従って循環ガス導入制御が行われた場合の一例のタイムチャートを示した図である。
【図５】第１実施形態に従った循環ガス導入制御ルーチンを示した図である。
【図６】第２実施形態の排気浄化装置を備えた内燃機関の全体図である。
【図７】第２実施形態に従った循環ガス導入制御ルーチンを示した図である。
【図８】第３実施形態の排気浄化装置を備えた内燃機関の全体図である。
【符号の説明】
【００５３】
１    機関本体
５    燃焼室
１０    点火栓
１１    燃料噴射弁
１９    排気マニホルド
２０，２３    三元触媒
２２，２５    排気管
３１    排気導入通路
３２    ポンプ
３３，３４    制御弁
【図１】
2006194093.tif 000003
【図２】
2006194093.tif 000004
【図３】
2006194093.tif 000005
【図４】
2006194093.tif 000006
【図５】
2006194093.tif 000007
【図６】
2006194093.tif 000008
【図７】
2006194093.tif 000009
【図８】
2006194093.tif 000010